(57)【特許請求の範囲】
【請求項１】
少なくとも２光子吸収材料と重合性モノマーもしくは重合性オリゴマーとを含有し、２光子吸収により光重合可能な光重合性組成物であって、２光子吸収材料が下記一般式（１）で表される化合物であることを特徴とする２光子重合性組成物。
一般式（１）
Ｘ2−(−ＣＲ4＝ＣＲ3−)m−Ｃ(＝Ｏ)−(−ＣＲ1＝ＣＲ2−)n−Ｘ1
（式中、Ｘ1 およびＸ2 は炭素数１〜１６の鎖状もしくは環状のアルキル基、炭素数６〜１４のアリール基、炭素数７〜１５のアラルキル基、炭素数１〜１６のアルコキシ基、炭素数６〜１４のアリールオキシ基、炭素数２〜２０のアミノ基、ハロゲン原子、炭素数２〜１７のアルコキシカルボニル基、炭素数１〜１０のカルバモイル基、炭素数１〜１０のアミド基、及び炭素原子数２〜１０のヘテロ環基から選ばれた置換基によって置換されたアリール基もしくは無置換のアリール基、または炭素数１〜１６の鎖状もしくは環状のアルキル基、炭素数６〜１４のアリール基、炭素数７〜１５のアラルキル基、炭素数１〜１６のアルコキシ基、炭素数６〜１４のアリールオキシ基、炭素数２〜２０のアミノ基、ハロゲン原子、炭素数２〜１７のアルコキシカルボニル基、炭素数１〜１０のカルバモイル基、炭素数１〜１０のアミド基、及び炭素原子数２〜１０のヘテロ環基から選ばれた置換基によって置換されたヘテロ環基もしくは無置換のヘテロ環基を表し、同一でもそれぞれ異なってもよく、Ｒ1 、Ｒ2 、Ｒ3 およびＲ4 はそれぞれ独立に、水素原子、炭素数１〜１０の鎖状もしくは環状のアルキル基を表し、Ｒ1 とＲ3が互いに結合して５員、６員もしくは７員環を形成してもよく、ｎおよびｍが２以上の場合、複数個のＲ1 、Ｒ2 、Ｒ3 およびＲ4 は同一でもそれぞれ異なってもよく、ｎおよびｍはそれぞれ独立に１〜４の整数を表す。）
【請求項２】
請求項１の重合性組成物に、一般式（１）の化合物が有する線形吸収帯より長波長で、かつ、線形吸収の存在しない波長のレーザー光を照射して誘起された２光子以上の多光子吸収を利用して重合反応を起こさせることを特徴とする光重合方法。
【発明の詳細な説明】
【０００１】
【発明の属する技術分野】
本発明は２光子吸収を利用して２光子重合反応を効率よく誘起する２光子重合性組成物に関し、２光子吸収の高い空間分解能に由来して、３次元超微細構造を光重合により作製することができる２光子超微細光造形に関する。
【０００２】
【従来の技術】
通常、物質は励起エネルギーに相当するエネルギーの１光子を吸収して励起され、このエネルギーに満たないエネルギーの光子は吸収されない。しかし光の強度が非常に強い場合には、光子エネルギーの和が励起エネルギーに相当する２光子が同時に吸収されることがある（非共鳴２光子吸収）。この性質を利用すると光をレンズで絞り込んだ焦点付近のみで光反応を起こすことができ、空間の任意の位置を選択して励起状態を作って利用することができる。
【０００３】
非共鳴２光子吸収により生成した励起状態を利用する応用例としては、３次元光記録や２光子造影、光治療（フォトダイナミックセラピー：ＰＤＴ）、および２光子超微細光造形が知られている。特に、２光子超微細光造形では、非共鳴２光子吸収の空間分解能が非常に高いという利点を充分に利用して、非常に微小な空間で重合反応を起こさせることで、微細な３次元構造を作製することが可能である。
【０００４】
しかしながら、非共鳴２光子吸収は非常に起こりにくい。２光子吸収の起こり易さを示す２光子吸収断面積は、通常非常に小さく１ＧＭ（ただし１ＧＭ＝１×１０-50 ｃｍ4 ｓ  ｍｏｌｅｃｕｌｅ-1  ｐｈｏｔｏｎ-1）程度である。したがって、非共鳴２光子吸収を利用した種々の応用においても、いずれも感度は極めて低く、高パワーのレーザー光源が必要になるが、このことが非共鳴２光子吸収を応用する上で大きな障害となっている。
【０００５】
近年、非共鳴２光子吸収断面積の比較的大きな化合物が報告されおり、それらの化合物を用いた２光子超微細光造形の例は、例えば以下の文献に記載されている。（すなわち、Ｂ．Ｈ．Ｃｕｍｐｓｔｏｎら、Ｎａｔｕｒｅ，１９９９，３９８，５１、Ｋ．Ｄ．Ｂｅｌｆｉｅｌｄら、Ｊ．Ｐｈｙｓ．Ｏｒｇ．Ｃｈｅｍ．，２０００，１３，８３７。）
【０００６】
しかしこれらの例では、用いることが可能なレーザー光源の波長が７３０〜８００ｎｍと狭い範囲であり、この波長範囲に適合する極めて限られた２光子吸収化合物でしか効率的な２光子重合を行うことができないのが現状である。また、これらの文献に示された化合物の多くは、合成が難しく、また化合物の安定性も良くない。
【０００７】
【発明が解決しようとする課題】
本発明が解決しようとする課題は、幅広い波長範囲のレーザー光が使用できるように、使用するレーザー光の波長に合わせて２光子吸収波長を調整可能な２光子吸収化合物を含有し、２光子重合の感度が良く、合成が容易で安定性にも優れた２光子重合組成物及びその光重合方法を提供することである。
【０００８】
【課題を解決するための手段】
本発明の発明者らの鋭意検討の結果、２光子吸収波長の調整が容易に可能で、２光子吸収断面積が大きい化合物が重要であることに着目し、本発明が下記（１）及び（２）によって解決されることを見出した。
【０００９】
（１）  少なくとも２光子吸収材料と重合性モノマーもしくは重合性オリゴマーとを含有し、２光子吸収により光重合可能な光重合性組成物であって、２光子吸収材料が下記一般式（１）で表される化合物であることを特徴とする２光子重合性組成物。
一般式（１）
Ｘ2−(−ＣＲ4＝ＣＲ3−)m−Ｃ(＝Ｏ)−(−ＣＲ1＝ＣＲ2−)n−Ｘ1
（式中、Ｘ1 およびＸ2 は炭素数１〜１６の鎖状もしくは環状のアルキル基、炭素数６〜１４のアリール基、炭素数７〜１５のアラルキル基、炭素数１〜１６のアルコキシ基、炭素数６〜１４のアリールオキシ基、炭素数２〜２０のアミノ基、ハロゲン原子、炭素数２〜１７のアルコキシカルボニル基、炭素数１〜１０のカルバモイル基、炭素数１〜１０のアミド基、及び炭素原子数２〜１０のヘテロ環基から選ばれた置換基によって置換されたアリール基もしくは無置換のアリール基、または炭素数１〜１６の鎖状もしくは環状のアルキル基、炭素数６〜１４のアリール基、炭素数７〜１５のアラルキル基、炭素数１〜１６のアルコキシ基、炭素数６〜１４のアリールオキシ基、炭素数２〜２０のアミノ基、ハロゲン原子、炭素数２〜１７のアルコキシカルボニル基、炭素数１〜１０のカルバモイル基、炭素数１〜１０のアミド基、及び炭素原子数２〜１０のヘテロ環基から選ばれた置換基によって置換されたヘテロ環基もしくは無置換のヘテロ環基を表し、同一でもそれぞれ異なってもよく、Ｒ1 、Ｒ2 、Ｒ3 およびＲ4 はそれぞれ独立に、水素原子、炭素数１〜１０の鎖状もしくは環状のアルキル基を表し、Ｒ1 とＲ3が互いに結合して５員、６員もしくは７員環を形成してもよく、ｎおよびｍが２以上の場合、複数個のＲ1 、Ｒ2 、Ｒ3 およびＲ4 は同一でもそれぞれ異なってもよく、ｎおよびｍはそれぞれ独立に１〜４の整数を表す。）
【００１０】
（２）  上記の重合性組成物に、一般式（１）の化合物が有する線形吸収帯より長波長で、かつ、線形吸収の存在しない波長のレーザー光を照射して誘起された２光子以上の多光子吸収を利用して重合反応を起こさせることを特徴とする光重合方法。
【００１１】
【発明の実施の形態】
以下に、本発明の２光子重合性組成物の態様を詳しく述べる。
本発明の２光子重合組成物は、少なくとも２光子吸収材料と重合性モノマーもしくは重合性オリゴマーとを含有し、２光子吸収により光重合可能な光重合性組成物であって、２光子吸収材料が下記一般式（１）で表される化合物であることを特徴とする。
【００１２】
一般式（１）
Ｘ2−(−ＣＲ4＝ＣＲ3−)m−Ｃ(＝Ｏ)−(−ＣＲ1＝ＣＲ2−)n−Ｘ1
（式中、Ｘ1 およびＸ2 は置換もしくは無置換のアリール基、または置換もしくは無置換のヘテロ環基を表し、同一でもそれぞれ異なってもよく、Ｒ1 、Ｒ2 、Ｒ3 およびＲ4 はそれぞれ独立に、水素原子、または置換基を表し、Ｒ1 、Ｒ2 、Ｒ3 およびＲ4 のうちのいくつかが互いに結合して環を形成してもよく、ｎおよびｍが２以上の場合、複数個のＲ1 、Ｒ2 、Ｒ3 およびＲ4 は同一でもそれぞれ異なってもよく、ｎおよびｍはそれぞれ独立に１〜４の整数を表す。）
【００１３】
以下に一般式（１）で表される化合物について詳しく述べる。
一般式（１）において、Ｘ1 およびＸ2 はそれぞれ、好ましくは炭素原子数６〜３０の置換もしくは無置換のアリール基、または炭素原子数１〜１０の置換もしくは無置換のヘテロ環基を表す。
【００１４】
一般式（１）のＸ1 およびＸ2 で表されるアリール基としては、好ましくは炭素原子数６〜３０の置換もしくは無置換のアリール基であり、例えばフェニル、ナフチル、アントラセニル、またはフェナンスレニル等を挙げることができ、フェニルまたはナフチルが好ましく、特にフェニルが好ましい。
【００１５】
一般式（１）のＸ1 およびＸ2 で表されるヘテロ環基としては、好ましくは炭素数１〜１０のヘテロ環基であり、更に好ましくは炭素数２〜９のヘテロ環基であり、ヘテロ原子として好ましいものは、窒素原子、酸素原子または硫黄原子である。
ヘテロ環基の具体例としては、例えばピロリジン、ピペリジン、ピペラジン、モルフォリン、チオフェン、セレノフェン、フラン、ピロール、イミダゾール、ピラゾール、ピリジン、ピラジン、ピリダジン、ピリミジン、トリアゾール、トリアジン、インドール、インダゾール、プリン、チアゾリン、チアゾール、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンゾイミダゾール、ベンゾオキサゾール、ベンゾチアゾール、ベンゾトリアゾール、テトラザインデン、ベンゾインドレニン、カルバゾール、ジベンゾフラン、および窒素原子が環を構成する場合には、その窒素原子が４級化された４級オニウムカチオン等が挙げられる。ヘテロ環として好ましくは、ピリジン、ピリミジン、ピラジン、インドール、チオフェン、チアゾール、オキサゾール、キノリン、アクリジン、ベンゾイミダゾール、ベンゾオキサゾール、ベンゾチアゾール、ベンゾインドレニンおよび窒素原子が環を構成する場合にその窒素原子が４級化された４級オニウムカチオン等であり、より好ましくはピリジン、チオフェン、アクリジン、ベンゾイミダゾール、ベンゾオキサゾール、ベンゾチアゾール、ベンゾインドレニンおよび窒素原子が環を構成する場合にその窒素原子が４級化された４級オニウムカチオン等である。
【００１６】
一般式（１）のＸ1 およびＸ2 は更に置換基を有しても良く、該置換基の例としては、例えば以下に記載のものを挙げることができる。炭素原子数１〜２０の鎖状または環状アルキル基（例えば、メチル、エチル、ｎ−プロピル、イソプロピル、ｎ−ブチル）、炭素数６〜１８の置換または無置換のアリール基（例えば、フェニル、クロロフェニル、アニシル、トルイル、１−ナフチル）、炭素原子数２〜２０のアルケニル基（例えばビニル、２−メチルビニル）、炭素原子数２〜２０のアルキニル基（例えば、エチニル、２−メチルエチニル、２−フェニルエチニル）、ハロゲン原子（例えば、Ｆ、Ｃｌ、Ｂｒ、Ｉ）、炭素数２〜２０のアミノ基（例えばジメチルアミノ、ジエチルアミノ、ジブチルアミノ）、シアノ基、ヒドロキシル基、カルボキシル基、炭素原子数２〜１０のアシル基（例えば、アセチル、ベンゾイル、サリチロイル、ピバロイル）、炭素原子数１〜２０のアルコキシ基（例えば、メトキシ、ブトキシ、シクロヘキシルオキシ）、炭素原子数６〜１８のアリールオキシ基（例えば、フェノキシ、１−ナフトキシ）、炭素原子数１〜２０のアルキルチオ基（例えば、フェニルチオ、４−クロロフェニルチオ）、炭素原子数１〜２０のアルキルスルホニル基（例えば、メタンスルホニル、ブタンスルホニル）、炭素原子数６〜１８のアリールスルホニル基（例えば、ベンゼンスルホニル、パラトルエンンスルホニル）、炭素原子数１〜１０のカルバモイル基、炭素原子数１〜１０のアミド基、炭素原子数２〜１２のイミド基、炭素原子数２〜１０のアシルオキシ基、炭素原子数２〜１０のアルコキシカルボニル基、炭素原子数１〜１０のヘテロ環基（例えばピリジル、チエニル、フリル、チアゾリル、イミダゾリル、ピラゾリルなどの芳香族ヘテロ環、ピロリジン環、ピペリジン環、モルホリン環、ピラン環、チオピラン環、ジオキサン環、ジチオラン環などの脂肪族ヘテロ環）。
【００１７】
一般式（１）において、Ｘ1 およびＸ2 の置換基として好ましいものは、炭素数１〜１６の鎖状または環状のアルキル基、炭素数６〜１４のアリール基、炭素数７〜１５のアラルキル基、炭素数１〜１６のアルコキシ基、炭素数６〜１４のアリールオキシ基、炭素数２〜２０のアミノ基、ハロゲン原子、炭素数２〜１７のアルコキシカルボニル基、炭素数１〜１０のカルバモイル基、炭素数１〜１０のアミド基、炭素原子数２〜１０のヘテロ環基であり、中でも好ましいものは、炭素数１〜１０の鎖状または環状のアルキル基、炭素数７〜１３のアラルキル基、炭素数６〜１０のアリール基、炭素数１〜１０のアルコキシ基、炭素数６〜１０のアリールオキシ基、炭素数２〜１０のアミノ基、塩素原子、臭素原子、炭素数２〜１１のアルコキシカルボニル基、炭素数１〜７のカルバモイル基、炭素数１〜８のアミド基である。
【００１８】
一般式（１）において、Ｒ1 、Ｒ2 、Ｒ3 およびＲ4 はそれぞれ独立に、水素原子、または置換基を表し、Ｒ1 、Ｒ2 、Ｒ3 およびＲ4 のうちのいくつかが互いに結合して環を形成してもよい。
それらにより形成される環構造として好ましいのは、Ｒ1 とＲ3 がエチレン、プロピレンあるいはブチレン基を形成して５員環、６員環あるいは７員環を形成する場合であり、より好ましくは員環または６員環を形成する場合である。
【００１９】
一般式（１）においてＲ1 、Ｒ2 、Ｒ3 及びＲ4 で表される置換基としては、上述のＸ1 およびＸ2 で表される基の置換基として挙げた基を挙げることができる。
【００２０】
一般式（１）においてＲ1 、Ｒ2 、Ｒ3 およびＲ4 で挙げた置換基のうちの任意の２つ互いに結合して環を形成してもよい。
【００２１】
一般式（１）において、ｎおよびｍが２以上の場合、複数個のＲ1 、Ｒ2 、Ｒ3 およびＲ4 は同一でもそれぞれ異なってもよい。
【００２２】
一般式（１）において、ｎおよびｍはそれぞれ独立に１〜４の整数を表し、その中でも１〜３が好ましく、１〜２が最も好ましい。
本発明の２光子吸収材料化合物は、ケトン化合物とアルデヒド化合物のアルドール縮合反応により合成した。
【００２３】
以下に、本発明に用いられる一般式（１）で示される２光子吸収材料の具体例を挙げるが、本発明の範囲はこれらのみに限定されるものではない。
【００２４】
【化１】
0004299985.tif 000002
【００２５】
【化２】
0004299985.tif 000003
【００２６】
【化３】
0004299985.tif 000004
【００２７】
【化４】
0004299985.tif 000005
【００２８】
【化５】
0004299985.tif 000006
【００２９】
【化６】
0004299985.tif 000007
【００３０】
【化７】
0004299985.tif 000008
【００３１】
【化８】
0004299985.tif 000009
【００３２】
【化９】
0004299985.tif 000010
【００３３】
【化１０】
0004299985.tif 000011
【００３４】
２光子吸収材料化合物の具体的合成例を示す。
【００３５】
合成例１  化合物（１）の合成
ｐ−（ジメチルアミノ）けい皮アルデヒド（１７．５ｇ、０．１mol）とシクロペンタノン（４．２ｇ、０．０５mol）をイソプロピルアルコール（２．４L）に溶解させ、ナトリウムメトキシドのメタノール溶液（１ml）を加え、４０℃で１時間攪拌した。反応が進行するにともなって析出した結晶をろ過し、ろ別した結晶をクロロホルムに溶解させた後、メタノールを加え、析出した結晶をろ過した。濃赤色結晶１１．０ｇ（収率５５％）。得られた化合物は1Ｈ  ＮＭＲにより構造を確認した。
1Ｈ  ＮＭＲ（ＣＤＣｌ3−ｄ1）
δ＝２．８６（ｓ、４Ｈ、シクロペンタン環）、３．０１（ｓ、１２Ｈ、ジメチルアミノ基）、６．６７（ｄ、４Ｈ、ベンゼン環）、７．３９（ｄ、４Ｈ、ベンゼン環）、６．７６（ｔ、２Ｈ、メチン鎖）、６．９０（ｄ、２Ｈ、メチン鎖）、７．２４（ｄ、２Ｈ、メチン鎖）
【００３６】
合成例２  化合物（１５）の合成
合成例１に示したシクロペンタノンの替わりにアセトン（２．９ｇ、０．０５mol）を用いる以外は合成例１と同様にして化合物（１５）を合成した。濃赤色結晶３．８ｇ（収率２０％）。得られた化合物は1Ｈ  ＮＭＲにより構造を確認した。
1Ｈ  ＮＭＲ（ＣＤＣｌ3−ｄ1）
δ＝３．０１（ｓ、１２Ｈ、ジメチルアミノ基）、６．６７（ｄ、４Ｈ、ベンゼン環）、７．３８（ｄ、４Ｈ、ベンゼン環）、６．４６（ｄ、２Ｈ、メチン鎖）、６．７６（ｍ、２Ｈ、メチン鎖）、６．９０（ｄ、２Ｈ、メチン鎖）、７．４８（ｍ、２Ｈ、メチン鎖）
【００３７】
合成例３  化合物（２９）の合成
合成例１に示したシクロペンタノンの替わりに、シクロヘキサノン（４．９ｇ、０．０５mol）を用いる以外は合成例１と同様にして化合物（２９）を合成した。濃赤色結晶７．２ｇ（収率３５％）。得られた化合物は1Ｈ  ＮＭＲにより構造を確認した。
1Ｈ  ＮＭＲ（ＤＭＳＯ−ｄ6）
δ＝１．８５（ｍ、２Ｈ、シクロヘキサン環）、２．７５（ｔ、４Ｈ、シクロヘキサン環）、３．００（ｓ、１２Ｈ、ジメチルアミノ基）、６．６６（ｄ、４Ｈ、ベンゼン環）、７．３９（ｄ、４Ｈ、ベンゼン環）、６．８９（ｍ、４Ｈ、メチン鎖）、７．５０（ｄ、２Ｈ、メチン鎖）
本発明に用いられる重合性モノマーもしくは重合性オリゴマーとしては、例えばアクリル酸エステル類およびアクリロニトリル系化合物などのラジカル重合性化合物やビニルエーテル類、メチレンジオキソラン類、エポキシド類などのカチオン重合性化合物などが挙げられる。特に、光造形用液状光硬化性樹脂としては比較的体積収縮の小さい点でエポキシ系化合物が好ましく、熱特性と機械特性の点でウレタンアクリレート系が好ましい。
【００３８】
光硬化性樹脂の具体例としては、旭電化工業製、ＨＳ−６８１，ＤＭＳ−ＳＯＭＯＳ社製、ＳＯＭＯＳ８１００、日本合成ゴム製、ＳＣＲ−８１００シリーズ、Ｖａｎｔｉｃｏ製、ＳＬ−７５４０などのエポキシ系樹脂、ディーメック社製、ＳＣＲ−７０１および帝人(株）製、ＴＳＲ−１９３８などのウレタンアクリレート系が挙げられる。
【００３９】
本発明の組成物は、更に所望により結合剤、溶剤を含有していても良い。溶剤の例としては、酢酸ブチル、乳酸エチル、セロソルブアセテートなどのエステル類；メチルエチルケトン、シクロヘキサノン、メチルイソブチルケトンなどのケトン類；ジクロルメタン、１，２−ジクロルエタン、クロロホルムなどのハロゲン化炭化水素類；Ｎ，Ｎ−ジメチルホルムアミドなどのアミド類；ジメチススルホキシドなどのスルホキシド類、スルホランなどのスルホン類、シクロヘキサン、トルエンなどの炭化水素類；テトラヒドロフラン、エチルエーテル、ジオキサン、などのエーテル類；エタノール、ｎ−プロパノール、イソプロパノール、ｎ−ブタノール・ジアセトンアルコールなどのアルコール類；２，２，３，３−テトラフロロプロパノールなどのフツ素系溶剤；  エチレングリコールモノメチルエーテル、エチレンングリコールモノエチルエーテル、プロピレンングリコールモノメチルエーテルなどのグリコールエーテル類などを挙げることができる。上記溶剤は使用する化合物の溶解性を考慮して単独または二種以上組み合わせて用いることができる。本発明の組成物中にはさらに重合開始剤、酸化防止剤、ＵＶ吸収剤、可塑剤、潤滑剤などの各種の添加剤を目的に応じて添加してもよい。
【００４０】
高分子結合剤の例としては、例えばゼラチン、セルロース誘導体、デキストラン、ロジン、ゴムなどの天然有機高分子物質;およびポリエチレン、ポリプロピレン、ポリスチレン、ポリイソブチレン等の炭化水素系樹脂;ポリ塩化ビニル、ポリ塩化ビニリデン、ポリ塩化ビニル・ポリ酢酸ビニル共重合体等のビニル系樹脂;ポリアクリル酸メチル、ボリメタクリル酸メチルなどのアクリル樹脂;ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。
本発明の組成物は用途に応じて、液状であっても、固体状であっても良い。
【００４１】
次に、本発明の２光子重合方法について述べる。用いるレーザー光源としては、一般式（１）の化合物が有する線形吸収帯より長波長で、かつ、線形吸収の存在しない波長のレーザー光を用いる。具体的には、中心波長１０００ｎｍ付近に発振波長を有する固体レーザー、７８０ｎｍ付近の発振波長を有する半導体レーザーや固体レーザー、６２０〜６８０ｎｍの範囲の発振波長を有する半導体レーザーや固体レーザーなどを用いることができる。
【００４２】
【実施例】
以下に、本発明を具体的例に基づいてさらに詳しく説明するが、本発明の範囲はそれらに限定されるものではない。
実施例１（１０５３ｎｍのレーザー光を用いた２光子重合の例）
重合液組成
２光子吸収材料（表１）                             ０．１質量部
紫外線硬化樹脂  ディーメック社ＳＣＲ-７０１        １００質量部
【００４３】
比較例
重合液組成
紫外線硬化樹脂  ディーメック社ＳＣＲ-７０１を、２光子吸収材料を加えずに用いた。
【００４４】
性能評価
波長１０５３ｎｍ、平均パワー２５０ｍＷ、尖頭パワー１ｋＷ、パルス幅３ｐｓ、繰り返し周波数８２Ｈｚのレーザービームをｆ＝３００ｍｍのレンズを通して約１００μｍに集光して照射した。目視にて硬化の有無を判断した。結果を表１に示す。
【００４５】
【表１】
0004299985.tif 000012
【００４６】
実施例２（７８０ｎｍのレーザー光を用いた２光子重合の例）
重合液組成
２光子吸収材料（表２）                                 ０．１質量部
紫外線硬化樹脂  ディーメック社ＳＣＲ-７０１            １００質量部
【００４７】
性能評価
波長７８０ｎｍ、平均パワー４０ｍＷ、尖頭パワー７ｋＷ、パルス幅１００ｆｓ、繰り返し周波数４８ＭＨｚのレーザービームをｆ＝３００ｍｍのレンズを通して約１００μｍに集光して照射した。目視にて硬化の有無を判断した。結果を表２に示す。
【００４８】
【表２】
0004299985.tif 000013
【００４９】
【発明の効果】
以上の評価結果から、用いるレーザー光の種々の波長に対応可能で、２光子重合効率の良い２光子重合組成物を提供することができる。